(57)【要約】【課題】ＣＭ部分を確実に検出できて削除が可能なデジタル放送録画再生装置を提供する。【解決手段】デジタル放送録画再生装置（１０）は、デジタル放送を受信し、それを録画再生する。複数の録画データを比較して一致するデータ部分をＣＭデータとして抽出するＣＭデータ抽出部（１６）と、抽出したＣＭデータを記憶するＣＭデータ記憶部（１７）と、を備える。さらに、ＣＭデータ記憶部に記憶されたＣＭデータと、再生対象録画データを比較して一致する部分があるかを判定するＣＭデータ判定部（１８）と、ＣＭデータ判定部により一致すると判定された部分を削除して再生対象録画データを出力する再生データ出力部（１９）と、を備える。【選択図】図１
2016154292.tif 000002
【特許請求の範囲】
【請求項１】
デジタル放送を受信し、それを録画再生するデジタル放送録画再生装置において、
複数の録画データを比較して一致するデータ部分をＣＭデータとして抽出するＣＭデータ抽出部と、
前記抽出したＣＭデータを記憶するＣＭデータ記憶部と、
を備えることを特徴とするデジタル放送録画再生装置。
【請求項２】
前記ＣＭデータ記憶部に記憶されたＣＭデータと、再生対象録画データを比較して一致する部分があるかを判定するＣＭデータ判定部と、
前記ＣＭデータ判定部により一致すると判定された部分を削除して前記再生対象録画データを出力する再生データ出力部と、
を備えることを特徴とする請求項１に記載のデジタル放送録画再生装置。
【請求項３】
前記再生データ出力部は、前記再生対象録画データをＣＭデータが削除された部分で分割することを特徴とする請求項２に記載のデジタル放送録画再生装置。
【請求項４】
前記再生データ出力部は、前記分割した録画データにタイトルを付与することを特徴とする請求項３に記載のデジタル放送録画再生装置。
【請求項５】
デジタル放送のＰＥＳパケット単位でダイジェスト値を算出して付与するダイジェスト付与部を備え、
データの一致を前記ダイジェスト値により判定することを特徴とする請求項１から４のいずれか一項に記載のデジタル放送録画再生装置。
【発明の詳細な説明】
【技術分野】
【０００１】
本発明は、デジタル放送を録画・再生できるデジタル放送録画再生装置に関する。
【背景技術】
【０００２】
近年、テレビ放送がデジタル化されて、これらを受信し記録再生するデジタル放送録画再生装置も普及している。番組本編の間にＣＭが挿入されている場合、ユーザからは番組本編のみを視聴したいために、ＣＭ部分を削除したいという要望がある。
【０００３】
そこで特許文献１には、受信したデジタル放送の音声データストリーム中の無音データの連続量を検出し、番組本編とＣＭの境界線判定を行うことのできる技術が開示されている。これにより、録画データの編集や必要な情報の抽出が容易になる。
【０００４】
つまり、無音データを検出してチャプター情報を自動設定することで、本放送とＣＭを分割できるようにしている。また、無音データの閾値を切り替えることで、検出タイミングを変更できるようにしている。
【先行技術文献】
【特許文献】
【０００５】
【特許文献１】特開２０１１−２２９０４７号公報
【発明の概要】
【発明が解決しようとする課題】
【０００６】
しかし、特許文献１の無音データ検出による境界判定では、無音シーンであれば、番組とＣＭの境界以外のシーンを検出することとなり、必要な情報の抽出が阻害される虞がある。
【０００７】
すなわち、無音データの検出では、本放送とＣＭの切替り以外のシーンでも検出することがあり、ＣＭではない部分をＣＭと誤検出してしまうことがある。また、無音データの閾値を切り替えることで、検出タイミングを変更できるように考えられているが、これは誤検出の改善ではなく検出シーンを減らす目的である。
【０００８】
本発明は、斯かる実情に鑑み、ＣＭ部分を確実に検出できて削除が可能なデジタル放送録画再生装置を提供しようとするものである。
【課題を解決するための手段】
【０００９】
本発明は、デジタル放送を受信し、それを録画再生するデジタル放送録画再生装置において、複数の録画データを比較して一致するデータ部分をＣＭデータとして抽出するＣＭデータ抽出部と、前記抽出したＣＭデータを記憶するＣＭデータ記憶部と、を備えることを特徴とするものである。
【００１０】
さらに、前記ＣＭデータ記憶部に記憶されたＣＭデータと、再生対象録画データを比較して一致する部分があるかを判定するＣＭデータ判定部と、前記ＣＭデータ判定部により一致すると判定された部分を削除して前記再生対象録画データを出力する再生データ出力部と、を備えることを特徴とする。
【発明の効果】
【００１１】
本発明によれば、比較対象の映像／音声データと一致する部分を抜き出すことで番組とＣＭとの境界の誤検出をすることなく、容易にＣＭデータを抽出することができる。さらにＣＭデータをデータベースとして蓄積することで、簡単に見たい本放送部分だけを録画することができるようになる。
【図面の簡単な説明】
【００１２】
【図１】本発明に係るデジタル放送録画再生装置を示すブロック図である。
【図２】第１実施形態におけるデジタル放送録画再生装置のＣＭ処理の手順を示すフローチャートである。
【図３】図２のＣＭデータ登録処理の手順を示すフローチャートである。
【図４】図２の再生処理の手順を示すフローチャートである。
【図５】第１実施形態におけるＣＭ処理を示す概念図である。
【図６】第２実施形態におけるＣＭ処理を示す概念図である。
【図７】第３実施形態におけるＣＭ処理を示す概念図である。
【図８】第４実施形態におけるＣＭ抽出処理を示す概念図である。
【発明を実施するための形態】
【００１３】
以下、本発明の実施の形態を添付図面を参照して説明する。
【００１４】
〔第１実施形態〕
図１は、本発明に係るデジタル放送録画再生装置を示すブロック図である。
このデジタル放送録画再生装置１０は、放送データ受信部１１、映像データ抽出部１２、音声データ抽出部１３、ダイジェスト値付加部１４、録画データ記憶部１５、ＣＭデータ抽出部１６、ＣＭデータ記憶部１７、ＣＭデータ判定部１８、再生データ出力部１９、映像デコード処理部２０、音声デコード処理部２１、映像データ出力部２２、音声データ出力部２３、を備える。
【００１５】
放送データ受信部１１はテレビのデジタル放送波を受信し、復調、誤り訂正処理を施し、ＴＳ（Transport Stream）パケットとして出力する。
映像データ抽出部１２はＴＳパケットの中から映像データを抽出し、音声データ抽出部１３はＴＳパケットの中から音声データを抽出する。映像データ抽出部１２と音声データ抽出部１３は、抽出したデータをＰＥＳ（Packetized Elementary Stream）パケットとして出力する。
【００１６】
ダイジェスト値付加部１４は、映像データ抽出部１２と音声データ抽出部１３から出力されるＭＰＥＧ−ＴＳのＰＥＳパケット単位でダイジェスト値をそれぞれ計算し、その値を録画するデータに付加する。なお、ダイジェスト値は、映像データのみや音声データのみで計算してもよい。
【００１７】
録画データ記憶部１５は、メモリやＨＤＤからなり、抽出された映像データと音声データとともにダイジェスト値を付加して記憶する。録画データ記憶部１５は、デジタル放送録画再生装置１０に内蔵されるものでもよいし、外部接続のものでもよい。また、インターネットなどのネットワークに接続するデータサーバなどでも良い。
【００１８】
ＣＭデータ抽出部１６は、異なる録画データのダイジェスト値を比較して、ダイジェスト値が一致するＰＥＳパケットをＣＭデータとして抽出する。
ＣＭデータ記憶部１７は、抽出したＣＭデータを記憶する。録画データ記憶部１５とＣＭデータ記憶部１７は、共通の記憶媒体であって記憶領域を分けて記憶してもよいし、別々の記憶媒体としてもよい。
【００１９】
ＣＭデータ判定部１８は、編集する録画データのＰＥＳパケットのダイジェスト値と、ＣＭデータ記憶部１７に記憶されたＣＭデータのダイジェスト値とを比較し、一致する部分をＣＭと判定する。
再生データ出力部１９は、ユーザの指示に応じて、ＣＭ部分を削除するなどの処理を行う。このような編集処理を行って、再び録画データ記憶部１５に編集録画データを記憶することもできる。
【００２０】
映像デコード処理部２０、音声デコード処理部２１は、それぞれ映像データと音声データを復号し、映像データ出力部２２と音声データ出力部２３から出力する。
【００２１】
次に、第１実施形態におけるデジタル放送録画再生装置のＣＭ処理について説明する。
図２は第１実施形態におけるデジタル放送録画再生装置のＣＭ処理の手順を示すフローチャートである。図３は図２のＣＭデータ登録処理の手順を示すフローチャートであり、図４は図２の再生処理の手順を示すフローチャートである。図５は、第１実施形態におけるＣＭ処理を示す概念図である。
【００２２】
まず、放送データ受信部１１はテレビのデジタル放送波を受信しＴＳパケットとして出力し、映像データ抽出部１２はＴＳパケットの中から映像データをＰＥＳパケットとして抽出し、音声データ抽出部１３はＴＳパケットの中から音声データをＰＥＳパケットとして抽出する（ステップＳ１１）。ダイジェスト値付加部１４は、映像データ抽出部１２と音声データ抽出部１３から出力されるＭＰＥＧ−ＴＳのＰＥＳパケット単位でダイジェスト値をそれぞれ計算し、データに付加する（ステップＳ１２）。
【００２３】
録画データ記憶部１５は、映像データ、音声データ及びダイジェスト値を記憶する（ステップＳ１３）。デジタル放送録画再生装置１０は、次の処理がＣＭデータ登録であるのか、再生であるのかを判定する（ステップＳ１４）。ＣＭデータ登録であれば、ステップＳ１５に進んでＣＭデータを抽出し記憶する処理を行う（ステップＳ１５）。再生であれば、ステップＳ１６に進み、登録されたＣＭデータと一致するＣＭデータを削除して再生処理を行う。
【００２４】
なお、ステップＳ１６は、ＣＭ再生処理を行っているが、ＣＭ削除処理を行って再び録画データ記憶部１５に記憶する編集処理でもよい。
【００２５】
次に、ＣＭデータ登録処理について、図３及び図５に基づいて説明する。
ＣＭは、同じものが何種類も放送されているので、それぞれ異なる放送データを比較すれば、同じ映像や音声部分がＣＭと見なすことができる。ダイジェスト値を用いて、一致する部分をＣＭデータとして抽出する。
【００２６】
まずＣＭデータ抽出部１６は、図５に示すように録画データ記憶部１５に記憶されている２つの録画データ３１，３２に付加されているダイジェスト値を比較する（ステップＳ２１）。ダイジェスト値をチェックして、一致するＰＥＳパケットが出てきた部分から、不一致となるＰＥＳパケットの手前までを一致データとする。こうして映像または音声データが一致している部分の境界(先端と終端)の判定を行う。
【００２７】
録画データ３１は、本放送１、ＣＭ１、ＣＭ２、ＣＭ３、本放送２がこの順に録画されている。また、録画データ３２は、本放送３、ＣＭ２、ＣＭ４、本放送４がこの順に録画されている。
【００２８】
次に、ＣＭデータ抽出部１６は、ダイジェスト値が一致する部分があるかを確認する（ステップＳ２２）。録画データ３１と録画データ３２には、ＣＭ２がそれぞれに存在するので、ＣＭ２をＣＭデータとしてＣＭデータ記憶部１７に記憶する（ステップＳ２３）。ＣＭデータ記憶部１７は、図５においてデータベース１７ａであり、ＣＭ登録処理を別の録画データにも実施すると、ＣＭデータを蓄積していくことができる。新たな録画をした時点で自動的に既に録画したデータと比較するようにすると、ＣＭデータが蓄積されていくことになる。
【００２９】
なお、一致する部分を抽出するときに、一定の長さのデータをＣＭデータとすることが可能である。たとえば１０秒以上のデータを対象とし、１０秒未満のものはＣＭデータではないとしてもよい。本放送の中で偶然一致したものまでもＣＭデータとしてしまうのを防ぐためである。
【００３０】
次に、録画データの再生処理について、図４及び図５に基づいて説明する。
ＣＭデータ判定部１８は、図５の再生対象の録画データ３３に対して、ＣＭデータ記憶部１７に蓄積されたＣＭデータと比較する（ステップＳ３１）。
【００３１】
ここで、録画データ３３は、本放送５、ＣＭ２、本放送６、ＣＭ２、本放送７がこの順に録画されている。データベース１７ａにはＣＭ２が記憶されている。
【００３２】
ＣＭデータ判定部１８は、ＣＭデータ記憶部１７に蓄積されたＣＭデータと一致するものがあったかを確認する（ステップＳ３２）。データベース１７ａに記憶されているＣＭデータはＣＭ２であり、録画データ３３はＣＭ２が挿入されているので、一致するＣＭデータがあったということになる。
【００３３】
再生データ出力部１９は、ＣＭ２と一致する録画データ３３のＣＭ２を削除する（ステップＳ３３）。一致しない場合は削除処理はしない。そして、データを出力して再生、あるいは削除処理したデータを録画する（ステップＳ３４）。出力されたデータは、映像デコード処理部２０、音声デコード処理部２１、映像データ出力部２２、音声データ出力部２３を介して、映像データ、音声データとして出力される。
【００３４】
こうして２つの録画データを比較しながら一致する部分をＣＭデータとして抽出するので、無音部分に影響されず確実にＣＭデータを抽出できる。また、データベースにＣＭデータを蓄積することにより、対象の録画データからＣＭを取り除いて本編の放送のみとする録画データを編集し再生できるようになる。
【００３５】
〔第２実施形態〕
本実施形態は、ＣＭデータをデータベース化しないで、抽出したＣＭデータをそのままＣＭ削除に使用するものである。
図６は、第２実施形態におけるＣＭ処理を示す概念図である。図５と異なるのは、ＣＭデータ記憶部１７としてメモリ１７ｂを用いて、データ蓄積を行わない点である。
【００３６】
図６に示すように、録画データ記憶部１５に記憶された録画データ３１と録画データ３２を比較してＣＭ２を抽出し、再生対象の録画データ３３からＣＭ２を削除する処理は第１実施形態と同じである（図２〜図４）。
【００３７】
この場合は、抽出されるＣＭ２は一回限りであるので、たとえばユーザが削除したい特定のＣＭデータがあるときに、それらが録画されている録画データを選ぶ。後はデジタル放送録画再生装置１０が、ＣＭデータ抽出を行い、自動的にそのＣＭデータだけが削除されて再生される。
【００３８】
〔第３実施形態〕
本実施形態は、データベース１７ａに蓄積されたＣＭデータと一致しないＣＭデータはそのまま残すものである。
図７は、第３実施形態におけるＣＭ処理を示す概念図である。図５と異なるのは、再生対象の録画データが、ＣＭデータ抽出に使用した録画データ３１，３２である点である。録画データ３１はＣＭ２以外にＣＭ１、ＣＭ３を有し、録画データ３２はＣＭ２以外にＣＭ４を有する。従って、再生処理を行うと、データベース１７ａにはＣＭ２が蓄積されているので、録画データ３１，３２のＣＭ２は削除される。しかし、図４のステップＳ３２において、ＣＭデータ記憶部１７に登録されていたＣＭデータと一致しないＣＭデータは、図４のステップＳ３２のＮｏ以降の処理に示すように、ＣＭデータ削除処理は行われず、残った状態となる。
【００３９】
全てのＣＭを削除したい場合は、データベース１７ａに全てのＣＭを蓄積する必要があるが、特定のいくつかのＣＭデータのみ削除したい場合もある。そのときは、データベース１７ａに削除したいＣＭデータを記憶しておくと、それ以外のＣＭは残すことができる（図７の録画データ３５，３６参照）。
【００４０】
〔第４実施形態〕
本実施形態は、ＣＭデータを利用して録画データを分割する編集を行うものである。
図８は、第４実施形態におけるＣＭ抽出処理を示す概念図である。図５と異なるのは、再生対象の録画データ３３のＣＭ２を削除したあと、それを利用して録画データ３３を録画データ３７，３８，３９に分割する点である。
【００４１】
再生データ出力部１９は、録画データ３３からデータベース１７ａに記憶されているＣＭ２を削除し、ＣＭ２で区切りに録画データ３３を分割し、それぞれにタイトルを付与して録画データ記憶部１５に記憶する。タイトルは、ユーザに入力させてもよいし、あらかじめ付与タイトルを設定しておいて、それに従って自動付与するものでもよい。
【００４２】
こうして、削除するＣＭデータを利用して、対象の録画データを分割するので、ユーザは再生処理するときに、再生位置を特定しやすくなり、扱いやすくなる。
【００４３】
上記実施形態では、ＰＥＳパケット単位でダイジェスト値を計算し、ダイジェスト値を比較することで、一致データかどうかを判定したが、映像データや音声データをそのまま比較して一致データか否かを判定してもよい。この場合は、ダイジェスト値で比較するよりもデータ量が大きくなる可能性がある。
【００４４】
以上、この発明の実施形態を図面を参照して詳述してきたが、具体的な構成はこれらの実施形態に限られるものではなく、この発明の要旨を逸脱しない範囲の設計変更等された発明も含まれる。
【符号の説明】
【００４５】
１０    ：デジタル放送録画再生装置
１１    ：放送データ受信部
１２    ：映像データ抽出部
１３    ：音声データ抽出部
１４    ：ダイジェスト値付加部
１５    ：録画データ記憶部
１６    ：ＣＭデータ抽出部
１７    ：ＣＭデータ記憶部
１７ａ  ：データベース
１７ｂ  ：メモリ
１８    ：ＣＭデータ判定部
１９    ：再生データ出力部
２０    ：映像デコード処理部
２１    ：音声デコード処理部
２２    ：映像データ出力部
２３    ：音声データ出力部
【図１】
2016154292.tif 000003
【図２】
2016154292.tif 000004
【図３】
2016154292.tif 000005
【図４】
2016154292.tif 000006
【図５】
2016154292.tif 000007
【図６】
2016154292.tif 000008
【図７】
2016154292.tif 000009
【図８】
2016154292.tif 000010